(57)【要約】【課題】利用可能な字形データが相違する出力機での出力結果をシミュレートするときの利便性を向上させる画像処理装置及びプログラムを提供する。【解決手段】画像形成の対象となるドキュメントに含まれる字形指定指示を抽出し、字形指定指示によって指定される字形の各々について、ドキュメントの出力先として指定された画像形成装置における使用条件を表す情報を取得し、使用条件の情報に基づいて、ドキュメントの画像形成において使用が制限される字形の情報を出力する画像処理装置である。【選択図】図１
2008033731.tif 000002
【特許請求の範囲】
【請求項１】
画像形成の対象となるドキュメントに含まれる字形指定指示を抽出する手段、
前記字形指定指示によって指定される字形の各々について、前記ドキュメントの出力先として指定された画像形成装置における使用条件を表す情報を取得する取得手段、及び、
前記使用条件の情報に基づいて、前記ドキュメントの画像形成において使用が制限される字形の情報を出力する情報出力手段、
を含むことを特徴とする画像処理装置。
【請求項２】
請求項１に記載の画像処理装置であって、
前記使用条件の情報には、字形の使用制限理由を表す情報を含み、
前記情報出力手段は、使用が制限される字形の情報として、前記使用制限理由の情報を含めて出力することを特徴とする画像処理装置。
【請求項３】
請求項１または２に記載の画像処理装置において、
前記使用条件の情報は、字形の解像度に関連して規定されていることを特徴とする画像処理装置。
【請求項４】
請求項１から３のいずれか一項に記載の画像処理装置において、
前記使用条件の情報は、ドキュメントの画像形成方式を指定する設定情報に関連づけて規定され、
前記取得手段は、ドキュメントの画像形成指示において指定された設定情報に関連する使用条件の情報を取得することを特徴とする画像処理装置。
【請求項５】
請求項１から４のいずれか一項に記載の画像処理装置であって、
前記取得手段は、所定のタイミングごとに繰り返し前記使用条件の情報を取得し、
前記情報出力手段は、前記使用条件の情報が取得されるごとに、当該使用条件の情報に基づいて、前記ドキュメントの画像形成において使用が制限される字形の情報を出力することを特徴とする画像処理装置。
【請求項６】
請求項１から５のいずれか一項に記載の画像処理装置であって、
前記使用が制限された字形の情報に係る統計情報を生成して提供する手段をさらに含むことを特徴とする画像処理装置。
【請求項７】
コンピュータに、
画像形成の対象となるドキュメントに含まれる字形指定指示を抽出する手順と、
前記字形指定指示によって指定される字形の各々について、前記ドキュメントの出力先として指定された画像形成装置における使用条件を表す情報を取得する手順と、
前記使用条件の情報に基づいて、前記ドキュメントの画像形成において使用が制限される字形の情報を出力する手順と、
を実行させることを特徴とするプログラム。
【発明の詳細な説明】
【技術分野】
【０００１】
本発明は、ドキュメントの画像形成に関する処理を実行する画像処理装置及びプログラムに関する。
【背景技術】
【０００２】
近年では、印刷業者が用いている印刷機での印刷結果を、デザイナなどのドキュメント作成者が、手近なプリンタでシミュレートさせ、校正を行うことなどが可能となっている。しかし、利用可能なフォントや外字データなどの字形データは、プリンタ、印刷機といった出力機ごとに相違する。特許文献１には、この相違を解消するために、共通の字形データを複数の出力機で共用する技術が開示されている。
【特許文献１】特開２００５−９２２５５号公報
【発明の開示】
【発明が解決しようとする課題】
【０００３】
しかしながら、上記従来の技術では、ドキュメントの作成拠点と、画像形成の拠点が異なる場合、次のような問題を生じる。つまり、ドキュメントの作成拠点では利用が許可されていても、画像形成拠点では当該字形データの利用ライセンスを受けておらず、利用が実質的に許可されない場合があり得る。
【０００４】
この場合、共通の字形データを共用することができないので、特許文献１に開示の方法では対処できない。また、こうした状況では、ドキュメントの作成者側のプリンタでは当該字形データの利用が可能なので、画像形成拠点では利用できないことに気付かず、利便性が低い。
【０００５】
本発明は、上記課題に鑑みてなされたものであって、利用可能な字形データが相違する出力機での出力結果をシミュレートするときの利便性を向上させる画像処理装置及びプログラムの提供をその目的の一つとする。
【課題を解決するための手段】
【０００６】
上記従来例の問題点を解決するための本発明は、画像処理装置であって、画像形成の対象となるドキュメントに含まれる字形指定指示を抽出する手段、前記字形指定指示によって指定される字形の各々について、前記ドキュメントの出力先として指定された画像形成装置における使用条件を表す情報を取得する取得手段、及び、前記使用条件の情報に基づいて、前記ドキュメントの画像形成において使用が制限される字形の情報を出力する情報出力手段、を含むことを特徴としている。
【０００７】
ここで前記使用条件の情報には、字形の使用制限理由を表す情報を含み、前記情報出力手段は、使用が制限される字形の情報として、前記使用制限理由の情報を含めて出力することとしてもよい。
【０００８】
また、前記使用条件の情報は、字形の解像度に関連して規定されていてもよい。
【０００９】
さらに、前記使用条件の情報は、ドキュメントの画像形成方式を指定する設定情報に関連づけて規定され、前記取得手段は、ドキュメントの画像形成指示において指定された設定情報に関連する使用条件の情報を取得することとしてもよい。
【００１０】
さらに、前記取得手段は、所定のタイミングごとに繰り返し前記使用条件の情報を取得し、前記情報出力手段は、前記使用条件の情報が取得されるごとに、当該使用条件の情報に基づいて、前記ドキュメントの画像形成において使用が制限される字形の情報を出力することとしてもよい。また、前記使用が制限された字形の情報に係る統計情報を生成して提供する手段をさらに含んでもよい。
【００１１】
本発明の一態様に係るプログラムは、コンピュータに、画像形成の対象となるドキュメントに含まれる字形指定指示を抽出する手順と、前記字形指定指示によって指定される字形の各々について、前記ドキュメントの出力先として指定された画像形成装置における使用条件を表す情報を取得する手順と、前記使用条件の情報に基づいて、前記ドキュメントの画像形成において使用が制限される字形の情報を出力する手順と、を実行させることを特徴としている。
【発明を実施するための最良の形態】
【００１２】
本発明の実施の形態について図面を参照しながら説明する。本発明の実施の形態に係る画像処理装置は、例えば図１に示すように、プリントサーバ１として実現される。このプリントサーバ１は、印刷業者側に配置された印刷機での出力をシミュレートするプリンタ装置２に接続され、また、ネットワークを介してクライアント装置３と、データベース４とに接続されている。
【００１３】
また、このプリントサーバ１は、制御部１１と、記憶部１２と、ストレージ部１３と、通信部１４と、プリンタインタフェース１５とを含んで構成されている。
【００１４】
ここで制御部１１は、ＣＰＵなどであり、記憶部１２に格納されているプログラムに従って種々の処理を実行する。本実施の形態における制御部１１の処理の具体的な内容については、後に述べる。
【００１５】
記憶部１２は、ＲＡＭ（Random Access Memory）や、ＲＯＭ（Read Only Memory）等のメモリ素子を含んで構成される。この記憶部１２には、制御部１１によって実行されるプログラムが保持される。また、記憶部１２は、制御部１１が行う処理に必要なデータを保持するワークメモリとしても動作する。
【００１６】
ストレージ部１３は、ハードディスク等の補助記憶装置を含む。このストレージ部１３には、字形データ（フォントデータ等）が格納されている。ここで、字形データは、文字の描画を行う際に参照されるデータであり、例えばフォントデータとして、所定の文字セットに含まれる各文字の輪郭線を規定する座標情報や制御点情報などを含む。また、この字形データは、同じ字体を表すものであっても、描画の際の解像度によって、輪郭線の規定方法を異ならせている場合がある。本実施の形態では、このストレージ部１３に格納された字形データは、プリンタ装置２にてドキュメントの画像形成を行う場合に、そのドキュメント中の文字を描画する際に参照される。また、ここではフォントの例について述べたが、字形データには、フォントだけでなく、外字データ（会社ロゴなど）などを含んでもよい。
【００１７】
通信部１４は、ネットワークインタフェースなどであり、ネットワークを介して各種データの送受信をする。プリンタインタフェース１５は、例えば、ネットワークインタフェースや、ＵＳＢ（Universal Serial Bus）インタフェースなどであり、プリンタ装置２との各種データの送受信を行うものである。
【００１８】
プリンタ装置２は、例えば、プリンタ、複合機などの画像形成装置として実現され、プリントサーバ１から画像形成の対象となるビットマップ画像データを受信して、用紙等の記録媒体上にビットマップ画像を形成する。
【００１９】
クライアント装置３は、例えばパーソナルコンピュータであり、画像形成の対象となり得るドキュメントを保持している。また、このドキュメントの画像形成の指示をプリントサーバ１に送信して、プリンタ装置２にて画像形成を行わせる。ここで画像形成の指示は、例えばポストスクリプト（登録商標）などの言語で記述された情報であってもよい。
【００２０】
本実施の形態では、プリントサーバ１は、このクライアント装置３からの指示を受けて、指定の印刷所における指定の印刷機での印刷結果を模倣する処理（シミュレーション処理）を実行する。このために、プリントサーバ１は、クライアント装置３からシミュレーションの条件を定める情報として、シミュレートの対象となる印刷機（最終的に出力を行わせる印刷機）を特定する情報を含む。
【００２１】
ここでシミュレートの対象となる印刷機を特定する情報は、印刷業者を特定する情報と、当該特定された印刷業者に配備された印刷機を特定する情報とを含む。
【００２２】
さらにシミュレートの条件を定める情報としては、指定した印刷機における印刷に関わる設定情報等をさらに含んでもよい。この設定情報には例えば、印刷を求める利用者に関わる情報（利用者の所属する組織や利用者名など）を含んでもよいし、印刷機での印刷態様としてカラー／モノクロ印刷の別、印刷の対象となるページの範囲、印刷部数、解像度の情報などを含んでもよい。
【００２３】
データベース４は、シミュレーション条件ごとに、利用可能な字形データを関連づけて保持するものである。例えば、このデータベース４には、図２に例示するように、シミュレーション条件としての、印刷業者及び印刷機を特定する情報、並びに設定情報などに対して字形データの利用可能性を表す情報が関連づけられている。この図２では、字形データの利用可能性を表す情報は、プリントサーバ１のストレージ部１３に格納されている字形データの各々が、当該シミュレーションの条件で表される実際の印刷環境において利用可能であるか否かを定めた情報としている。例えば、印刷所Ｘにおける印刷機ｘ１では、「Ｘ明朝」が利用できず、「Ｙ明朝」は利用できる場合、図２に示すように、「印刷所Ｘにおける印刷機ｘ１」とのシミュレーションの条件に関連づけて、「Ｘ明朝」は「利用不能」、「Ｙ明朝」は「利用可能」との情報が関連づけて格納される。なお、同じフォント名で特定される字形データであっても、利用する解像度範囲によって利用可否が異なる場合は、異なる字形データとして登録されてもよい。例えば図２において、印刷所Ｘが「Ｚ明朝」について、１２００ｄｐｉ（dots per inch）未満の解像度で用いるフォントデータは所持しているが、１２００ｄｐｉ以上の解像度で用いるフォントデータは所持していない（ライセンスを受けていない）場合、「印刷所Ｘにおける印刷機ｘ１」では、「Ｚ明朝（１２００ｄｐｉ未満）」は利用可能だが、「Ｚ明朝（１２００ｄｐｉ以上）」は利用不能である旨の情報を関連づけて、このデータベース４に登録される。
【００２４】
なお、ここで字形データが「利用不能」であるとの情報には、データベース４はさらに、その理由を特定する情報を関連づけて保持していてもよい。理由情報としては、例えば「未インストール」である旨や、利用のための「ライセンスがない」旨の情報、さらには、字形データが対応する解像度が指定された印刷機の「解像度に不適合」であるなどの情報がある。この情報は、シミュレーションを行わせる利用者に提示されてもよい。
【００２５】
なお、このデータベース４に対しては、シミュレーションのターゲットとなる印刷機を所有する印刷業者が、シミュレーション条件や字形データの利用可能性を表す情報を登録し、または更新できるようにしてもよい。
【００２６】
次に、本実施の形態の画像処理装置としてのプリントサーバ１と、クライアント装置３とが実行する処理について、図３を参照しながら説明する。
【００２７】
クライアント装置３の利用者がシミュレーション処理を開始する旨の操作を行うと、クライアント装置３は、シミュレーション条件の要求をプリントサーバ１へ送出する（Ｓ１）。
【００２８】
プリントサーバ１の制御部１１は、クライアント装置３からシミュレーション条件の要求を受け入れると、データベース４を参照して、データベース４に格納されているシミュレーション条件のリストを生成し、当該生成したリストを開始指示の送信元のクライアント装置３へ送出する（Ｓ２）。
【００２９】
クライアント装置３は、このリストを受信して利用者に提示し、利用者の指示操作により、当該リストのうちからシミュレーションの条件の選択を受け入れる（Ｓ３）。クライアント装置３は、こうして受け入れたシミュレーションの条件と、形成の対象として指定されたドキュメントの描画指示とをプリントサーバ１へ送出する（Ｓ４）。ここでドキュメントの描画指示は例えばポストスクリプト（登録商標）などの言語で記述されているものとする。
【００３０】
プリントサーバ１の制御部１１は、形成の対象となるドキュメントの描画指示と、シミュレーションの条件とを受信して、当該受信した条件に基づき、ドキュメントの描画指示を参照して、ビットマップの画像を生成する（ＲＩＰ処理；Ｓ５）。制御部１１は、このＲＩＰ処理で生成したビットマップの画像をプリンタ装置２へ送出し（Ｓ６）、処理を終了する。
【００３１】
本実施の形態では、これらの処理のうち処理Ｓ５（ＲＩＰ処理）において、制御部１１がドキュメントの描画指示に含まれる字形指定指示を抽出し、この字形指定指示によって指定される字形について、このドキュメントの出力先として指定された印刷機等における使用条件を表す情報を参照しつつ、使用が制限される字形の情報を出力する処理を行う。
【００３２】
具体的な処理の例として、制御部１１は、図４に示すように、ドキュメントの描画指示に含まれる字形指定指示を抽出する（Ｓ１１）。ここで字形指定指示は、例えばポストスクリプト（登録商標）の場合、「/FindFont」などフォント読み込みコマンドである。制御部１１は、この抽出した字形指定指示において指定される字形の情報（例えば「/FindFont」の引数となるフォント名など）をさらに抽出する（Ｓ１２）。
【００３３】
制御部１１は、また、ドキュメントの描画指示とともに受け入れたシミュレーションの条件に関連づけてデータベース４に登録されている、字形データの利用可能性の情報を取得する（Ｓ１３）。
【００３４】
制御部１１は、処理Ｓ１２で抽出した字形データの各々と、処理Ｓ１３において取得した字形データの利用可能性の情報とを比較する。そして制御部１１は、処理Ｓ１２において抽出した字形データのうち、処理Ｓ１３で取得した字形データの利用可能性の情報において利用不能となっている字形データを特定する。
【００３５】
制御部１１は、ドキュメントの描画指示に基づいてビットマップの画像を生成するとともに、比較の結果、利用不能と特定された字形データに関わる警告処理を実行する（Ｓ１４）。
【００３６】
ここで警告処理は、
（１）指定されたシミュレーションの条件で利用不能とされた字形データの一覧をクライアント装置３へ送出して提示させる処理、
（２）指定されたシミュレーションの条件で利用不能とされた字形データの一覧を生成したビットマップ画像の一部に合成して、印刷させる処理、
（３）ビットマップ画像を生成する際に、指定されたシミュレーションの条件で利用不能とされた字形データで描画する部分について強調する処理、
などがある。以下、これらの警告処理について説明する。
【００３７】
（１）クライアント装置３へ指定されたシミュレーションの条件で利用不能とされた字形データの一覧を送出して、提示させる警告処理を行う場合、制御部１１は、図５に示すように、シミュレーションの条件を表す情報とともに、利用不能とされた字形データの一覧を表す情報を記述したデータを生成する。また、このデータには、利用不能とされた字形データについては、データベース４からその利用不能である理由を表す理由情報を含めてもよい。
【００３８】
なお、このデータは、例えば利用者宛の電子メールとして、クライアント装置３へ送出されてもよい。
【００３９】
また、（２）指定されたシミュレーションの条件で利用不能とされた字形データの一覧を生成したビットマップ画像の一部に合成して、印刷させる処理を行う場合、制御部１１は、次のように合成を行う。すなわち制御部１１が生成するビットマップ画像は、一般にプリンタ装置２が当該ビットマップ画像を形成する記録媒体（用紙など）のサイズよりも小さいサイズとなっており、記録媒体には、このビットマップ画像が形成されない部分が余白として残る。そこで制御部１１は、この余白部分に相当する位置に、指定されたシミュレーションの条件で利用不能とされた字形データの一覧を表す文字列の画像を合成する。
【００４０】
この合成後の画像をプリンタ装置２にて形成した結果は、例えば図６に示すように、ドキュメントの画像の外周部分（余白）に、指定されたシミュレーションの条件で利用不能と判断された字形データの一覧が表される。この場合も、当該字形データに関連する理由情報を含めてもよい。
【００４１】
さらに（３）ビットマップ画像を生成する際に、指定されたシミュレーションの条件で利用不能とされた字形データで描画する部分について強調する処理を、警告処理として行う場合、制御部１１は、ドキュメントの描画指示のうち、利用不能とされた字形データに係る字形指定指示に対して、予め警告用として定めたスタイル（色やイタリック、太字などの強調スタイル）の指示を追記する。これにより、シミュレーション条件で指定された、ターゲットとなる印刷機では利用できないが、シミュレーション結果を印字するプリンタ装置２では利用可能であるフォント等が予め定めたスタイルで強調して形成されることになる。図７は、このときプリンタ装置２から出力された用紙の一例を示す図である。同図に示すように、利用不能な字形データによって決定される字形で描画される文字「Ａ」が、予め定めた色で表わされている（便宜上ハッチングで示している）。
【００４２】
また、このスタイルは、利用不能である理由を示す理由情報ごとに予め複数設定しておき、理由情報に関連づけて設定されたスタイルとしてもよい。例えば、スタイルとして色を変更する場合、「ライセンスがない」ために利用不能である場合を赤、「ライセンスを受けているフォントの解像度が印刷機の解像度に合っていない」場合を青、などとする。
【００４３】
なお、こうした警告の方法については、利用者がクライアント装置３を用いて選択できるようにしてもよい。図８は、かかる設定を行うためのユーザーインターフェイスの一例を示す図である。同図に示すように、このユーザインタフェースは、例えばドキュメントの画像形成指示を行う際のプリンタドライバの設定ダイアログとして実装できる。ここではプリントサーバ１から受信したシミュレーション条件の一覧が表示され、利用者の選択に供されているとともに、警告の方法を設定するためのインタフェースが表示される（Ｘ）。クライアント装置３は、ここで利用者が設定した警告の方法を特定する情報を、画像形成の指示とともにプリントサーバ１に送信する。
【００４４】
なお、ここで警告方法を設定する際に、設定された警告方法で警告を行う際に必要となる情報があれば、ここで入力を求めておくこととしてもよい。例えば、警告方法として「電子メールで通知」を指定する場合には、電子メールの送信先のアドレスを入力させてもよい。
【００４５】
また、利用不能とされた字形データに係る字形指定の指示を変更して、警告の対象となる文字列のスタイルを変更する場合、当該スタイルを指定させてもよい。
【００４６】
以上のように、本実施の形態に係るプリントサーバ１によれば、利用者によって指定されたシミュレーション条件における、ドキュメントの出力をシミュレートすることができる。この際、利用不能な字形データに関する警告を行うことができるので、利便性を向上させることができる。
【００４７】
また、ここまでの説明では、制御部１１が、ドキュメントを対象とする画像形成の指示を受信した際に実行することとしているが、ドキュメントをビットマップ化したデータ（いわゆるＲＩＰ済みデータ）をプリントサーバ１に蓄積させておき、利用者からの指示に応じて、当該蓄積しているＲＩＰ済みデータをプリンタ装置２へ送信させて画像を形成させることとしている場合、図４に示した処理を、所定の時間間隔ごと（例えば２４時間ごと）に、蓄積しているドキュメントごとに繰り返し実行することとしてもよい。これによれば印刷業者側でフォント等の利用可能性を変更したときに、当該利用可能性の変更をほぼリアルタイムに反映させることができる。
【００４８】
さらに、本実施の形態において、プリントサーバ１は、シミュレーションの処理の対象となったドキュメントに基づき、字形指定情報の統計情報を生成して記録してもよい。この場合、プリントサーバ１は、当初、指定可能なシミュレーション条件ごとに、プリントサーバ１のストレージ部１３に格納されている字形データの各々の指定がされた回数を記録するテーブルをストレージ部１３に生成する。このテーブルにおいて各指定がされた回数は当初「０」としておく。
【００４９】
そして、プリントサーバ１は、シミュレーションの処理の対象となるドキュメントを受信すると、当該ドキュメントに含まれる字形指定情報を抽出し、指定されている字形の種類（例えばフォント名や対応する解像度）のリストを生成する。また、ストレージ部１３に格納されているテーブルのうち、指定されたシミュレーションの条件に関連づけられている値のうち、生成したリストに含まれる字形の種類に対応する値を「１」だけインクリメントする。
【００５０】
また、この方法ではドキュメントにおいて繰り返し複数回指定されているフォントがあった場合も、当該フォントについては「１」とカウントするものとしたが、ドキュメントにおける字形の指定回数だけインクリメントしてもよい。この後者の方法では、ドキュメント内で繰り返して複数回指定されたフォントについては、当該複数回分だけインクリメントが行われることとなる。
【００５１】
そして、プリントサーバ１は、こうして生成した統計情報のテーブルに蓄積された値を各印刷業者に提供してもよい。例えば、プリントサーバ１をウェブサーバとして動作させ、各印刷業者にネットワークを介して統計情報を提供するようにしてもよい。
【００５２】
すなわち、制御部１１は、ネットワークを介して印刷業者に配置された端末からのアクセスを受けて、上記テーブルの少なくとも一部を提示するウェブページを、アクセス元の端末へ配信する。
【００５３】
ここでテーブルの全体を提示するのではなく、アクセス元の印刷業者に関わるシミュレーション条件を抽出し、当該抽出したシミュレーション条件に関わる値を選択的に配信してもよい。これによると、各印刷業者は、自分が所持している印刷機において、求められているフォントの種類などの統計量を知ることができ、フォントの導入計画に資することができる。なお、このときプリンタサーバ１の制御部１１は、提供する統計値のうち、利用不能と特定された字形データに関わる値と、利用不能と特定されていない字形データに関わる値とを区別できるよう、互いに異なる態様で（例えば色を異ならせるなどして）提供してもよい。これによると、導入していないフォント等が利用者において指定されている回数などを知ることができる。
【００５４】
図９は、こうした情報の提供を行う画面（印刷業者側の端末の画面表示）の一例である。同図に示すように、当該印刷業者に関わるシミュレーション条件の一覧（各印刷機など）ごとに、字形データの統計情報としての指定回数が表示される。
【００５５】
なお、ここまで説明した実施の形態では、プリントサーバ１は、プリンタ装置２、クライアント装置３、及びデータベース４の各々と別体となっているが、その少なくとも一部は一体となっていてもよい。例えばプリントサーバ１とプリンタ装置２が一体となっていてもよい。また、プリントサーバ１とクライアント装置３が一体となっていてもよい。また、プリントサーバ１は、データベース４と一体となっていてもよい。この場合に、データベース４を、ストレージ部１３に保持するようにしてもよい。
【図面の簡単な説明】
【００５６】
【図１】本発明の実施形態に係るプリントサーバの構成ブロック図である。
【図２】データベースの構成の一例を表わす図である。
【図３】プリントサーバにおける処理を表わすフローチャート図である。
【図４】プリントサーバにおける処理を表わすフローチャート図である。
【図５】文書情報の一例を表わす図である。
【図６】プリンタ装置によって出力された用紙の一例を表わす図である。
【図７】プリンタ装置によって出力された用紙の一例を表わす図である。
【図８】ユーザインターフェイスの一例を表わす図である。
【図９】ウェブページの一例を表わす図である。
【符号の説明】
【００５７】
１  プリントサーバ、２  プリンタ装置、３  クライアント装置、４  データベース、１１  制御部、１２  記憶部、１３  ストレージ部、１４  通信部、１５  プリンタインタフェース。
【図１】
2008033731.tif 000003
【図２】
2008033731.tif 000004
【図３】
2008033731.tif 000005
【図４】
2008033731.tif 000006
【図５】
2008033731.tif 000007
【図６】
2008033731.tif 000008
【図７】
2008033731.tif 000009
【図８】
2008033731.tif 000010
【図９】
2008033731.tif 000011